(57)【要約】      （修正有）【課題】互いに異なる型式のトレイを識別することができる半導体集積回路用トレイを提供する。【解決手段】表側面と裏側面を有する半導体集積回路用トレイ１であって、半導体集積回路用トレイ１の周囲において垂直方向に立ち上がっている外周壁３ａ、３ｃないし外周枠３の１つ又は複数の箇所にトレイ識別機能部が形成されており、トレイ識別機能部は、外周壁３ａ、３ｃないし外周枠３から長手方向及び短手方向のうちの少なくとも一方へ突出するように表側面に形成された凸部６及びこれと係合可能な形状に裏側面に形成された凹部８、並びに外周壁３ａないし外周枠３から長手方向及び短手方向のうちの少なくとも一方へ陥没するように表側面に形成された凹部５及びこれと係合可能な形状に裏側面に形成された凸部から構成されている。【選択図】図４
2018148073.tif 000002
【特許請求の範囲】
【請求項１】
表側面と裏側面を有する半導体集積回路用トレイであって、
該半導体集積回路用トレイの長手方向、上記長手方向と直交する該半導体集積回路用トレイの短手方向、及び上記長手方向と短手方向のいずれとも直交する該半導体集積回路用トレイの垂直方向を有するように、平面視で概ね長方形の形状に形成されており、
該半導体集積回路用トレイの周囲において上記垂直方向に立ち上がっている外周壁ないし外周枠の１つ又は複数の箇所にトレイ識別機能部が形成されており、
上記トレイ識別機能部は、上記外周壁ないし外周枠から上記長手方向及び短手方向のうちの少なくとも一方へ突出するように上記表側面に形成された凸部及びこれと係合可能な形状に上記裏側面に形成された凹部、並びに上記外周壁ないし外周枠から上記長手方向及び短手方向のうちの少なくとも一方へ陥没するように上記表側面に形成された凹部及びこれと係合可能な形状に上記裏側面に形成された凸部からなることを特徴とする、半導体集積回路用トレイ。
【請求項２】
複数の請求項１に記載の半導体集積回路用トレイからなる一式の半導体集積回路用トレイ・シリーズであって、
該一式の半導体集積回路用トレイ・シリーズのうちの一群の半導体集積回路用トレイを構成する各半導体集積回路用トレイの周囲の同じ箇所に同一の凹凸形状のトレイ識別機能部が形成されており、該一式の半導体集積回路用トレイ・シリーズのうちの他の群の半導体集積回路用トレイを構成する各半導体集積回路用トレイの周囲の同じ箇所に同一の凹凸形状のトレイ識別機能部が形成されており、
上記一群の半導体集積回路用トレイを構成する各半導体集積回路用トレイのトレイ識別機能部と、上記他の群の半導体集積回路用トレイを構成する各半導体集積回路用トレイのトレイ識別機能部とは、これらが形成されている位置及びこれらの凹凸形状のうちの少なくとも一方が互いに異なっていることを特徴とする、一式の半導体集積回路用トレイ・シリーズ。
【発明の詳細な説明】
【技術分野】
【０００１】
本発明は、ＩＣ等の半導体集積回路（半導体チップ）を収容するための複数のポケットを備える半導体集積回路用トレイに関し、詳しくは、互いに型式の異なる複数のトレイを識別することができるように構成されたトレイ識別機能部を有する半導体集積回路用トレイ及び一式の半導体集積回路用トレイ・シリーズに関する。
【背景技術】
【０００２】
半導体集積回路の小型化が進んでいることに伴い、半導体集積回路の寸法や形状に応じて様々な型式の半導体集積回路用トレイが製造されている。様々な型式のトレイが製造されているため、よく似ている外観を有する複数のトレイを識別することは容易ではない。特に、過去に製造したトレイと、新規に製造したトレイの外観が酷似している場合には、トレイ出荷などの際にこれらのトレイが混在してしまうと、互いに異なる型式の複数のトレイを識別することは困難である。
【０００３】
近年においては、イニシャル品（初期品）であるフラット・トレイ（自他トレイ識別機能部が形成されていない平板状のトレイを意味する）だけではなく、自他トレイ識別機能部を備える様々な半導体集積回路用トレイが製造されている。
【０００４】
例えば、特許文献１のトレイ２０には、図１０（ａ）に示されるように、表側面の段部２２に、上方へ突出した凸部２３が形成されている。また、図１０（ｂ）に示されるように、段部２２から垂直に下がっている外周枠２４の下面２５に、凸部２３と係合可能な形状に凹部２６が形成されている。よって、図１２（ａ）に示されるように、特許文献１のトレイ２０上にフラット・トレイ９を重ね合わせようとしても、段部２２に形成された凸部２３とフラット・トレイ９の外周枠９ａの下面９ｃ（トレイ底面）とが互いに干渉するため、特許文献１のトレイ２０とフラット・トレイ９との間に隙間９ｆが生じて重なり合わない。従って、２つのトレイが互いに異なる型式のトレイであることを識別することができる。しかし、図１２（ｂ）に示されるように、フラット・トレイ９上に特許文献１のトレイ２０を載せる場合には、２つのトレイがぴったり重なり合ってしまう。これでは、２つのトレイが互いに異なる型式のトレイであることを識別することができない。
【０００５】
また、図１１に示される従来品の既存トレイ３０（図１１（ａ）を参照）については、表側面において、外周壁３２の外面からトレイ内方へ陥没するように凹部３３が形成されている一方で、裏側面において、段部３４から垂直に下がっている外周枠３５の内面からトレイ内方へ突出するように凸部３６が形成されている（図１１（ｂ）を参照）。よって、図１３（ａ）に示されるように、フラット・トレイ９（イニシャル品）上に従来品の既存トレイ３０を重ねようとしても、フラット・トレイ９の外周壁９ｄの上面９ｅ（トレイの上面）と従来品の既存トレイ３０の凸部３６とが干渉するため、２つのトレイ間に隙間９ｆが生じて、フラット・トレイ９上に従来品の既存トレイ３０がぴったり重なり合うことはない。重なり合わないことから、これらのトレイが互いに異なる型式のトレイであることを識別することができる。反対に、図１３（ｂ）に示されるように、従来品の既存トレイ３０上にフラット・トレイ９を載せると、互いに干渉し得る凹凸がないので２つのトレイがぴったり重なり合ってしまう。これでは型式の異なる２つのトレイを識別することができない。
【先行技術文献】
【特許文献】
【０００６】
【特許文献１】特開２００１−１０６２８７号公報
【発明の概要】
【発明が解決しようとする課題】
【０００７】
互いに異なる型式のトレイが混在したとしても、これらのトレイがぴったり重なり合わなければ（係合しなければ）、自他のトレイを識別することができる。しかし、特許文献１のトレイ（図１０に示される改良済みトレイ）については、自他トレイ識別機能部を有していないイニシャル品であるフラット・トレイ（図８及び図９のトレイ）上に特許文献１のトレイを載せると、フラット・トレイと改良済みトレイがぴったり重なり合ってしまう。これでは異なる型式のトレイを識別することができない。図１１に示される従来品の既存トレイ（特許文献１のトレイとは別の改良済みトレイ）についても、該従来品の既存トレイ上にフラット・トレイを載せると、該従来品の既存トレイとフラット・トレイとがぴったり重なり合ってしまうので、やはり異なる型式のトレイを識別することができない。
【課題を解決するための手段】
【０００８】
本発明の一実施例においては、表側面と裏側面を有する半導体集積回路用トレイであって、該半導体集積回路用トレイの長手方向、上記長手方向と直交する該半導体集積回路用トレイの短手方向、及び上記長手方向と短手方向のいずれとも直交する該半導体集積回路用トレイの垂直方向を有するように、平面視で概ね長方形の形状に形成されており、該半導体集積回路用トレイの周囲において上記垂直方向に立ち上がっている外周壁ないし外周枠の１つ又は複数の箇所にトレイ識別機能部が形成されており、上記トレイ識別機能部は、上記外周壁ないし外周枠から上記長手方向及び短手方向のうちの少なくとも一方へ突出するように上記表側面に形成された凸部及びこれと係合可能な形状に上記裏側面に形成された凹部、並びに上記外周壁ないし外周枠から上記長手方向及び短手方向のうちの少なくとも一方へ陥没するように上記表側面に形成された凹部及びこれと係合可能な形状に上記裏側面に形成された凸部からなることを特徴とする、半導体集積回路用トレイを提示する。
【０００９】
また、上記の半導体集積回路用トレイからなる一式の半導体集積回路用トレイ・シリーズであって、該一式の半導体集積回路用トレイ・シリーズのうちの一群の半導体集積回路用トレイを構成する各半導体集積回路用トレイの周囲の同じ箇所に同一の凹凸形状のトレイ識別機能部が形成されており、該一式の半導体集積回路用トレイ・シリーズのうちの他の群の半導体集積回路用トレイを構成する各半導体集積回路用トレイの周囲の同じ箇所に同一の凹凸形状のトレイ識別機能部が形成されており、上記一群の半導体集積回路用トレイを構成する各半導体集積回路用トレイのトレイ識別機能部と、上記他の群の半導体集積回路用トレイを構成する各半導体集積回路用トレイのトレイ識別機能部とは、これらが形成されている位置及びこれらの凹凸形状のうちの少なくとも一方が互いに異なっていることを特徴とする、一式の半導体集積回路用トレイ・シリーズを提示する。
【図面の簡単な説明】
【００１０】
【図１】本発明の半導体集積回路用トレイの表側面を示す図。
【図２】本発明の半導体集積回路用トレイの裏側面を示す図。
【図３】本発明の半導体集積回路用トレイの正面を示す図。
【図４】トレイ識別機能部が形成されているトレイ表側面を拡大して示す斜視図。
【図５】トレイ識別機能部が形成されているトレイ裏側面を拡大して示す斜視図。
【図６】本発明のトレイとフラット・トレイ（イニシャル品）とのスタック状態を示す図。
【図７】フラット・トレイと３種類の対策品トレイとが重なり合う場合を「ＮＧ」として示し、重なり合わない場合を「ＯＫ」として示す表。
【図８】（ａ）フラット・トレイの表側面を示す図。（ｂ）フラット・トレイの裏側面を示す図。（ｃ）フラット・トレイの正面図。
【図９】（ａ）フラット・トレイの表側面を拡大して示す斜視図。（ｂ）フラット・トレイの裏側面を拡大して示す斜視図。
【図１０】（ａ）特許文献１のトレイの表側面を拡大して示す斜視図。（ｂ）特許文献１のトレイの裏側面を拡大して示す斜視図。
【図１１】（ａ）従来品の既存トレイの表側面を拡大して示す斜視図。（ｂ）従来品の既存トレイの裏側面を拡大して示す斜視図。
【図１２】特許文献１のトレイとフラット・トレイとのスタック状態を示す図。
【図１３】従来品の既存トレイとフラット・トレイとのスタック状態を示す図。
【図１４】一式の半導体集積回路用トレイ・セットに含まれる各世代のトレイを識別するためのトレイ識別機能部を有する半導体集積回路用トレイを示す図。
【発明を実施するための形態】
【００１１】
本発明の半導体集積回路用トレイについて添付の図面を参照しつつ説明する。
【００１２】
図１は、本発明の半導体集積回路用トレイ１の表側面を示す。本発明の半導体集積回路用トレイ１（以下、単に「トレイ１」という）の表側面におけるポケット２の外側の外周壁３ａには、特異的な凹部５及び凸部６が形成されている。これらの凹凸形状は、複数のトレイを相互に重ね合わせる際に型式等の異なる２つのトレイを識別するためのトレイ識別機能部４の一部を構成している。
【００１３】
図２は、本発明のトレイ１の裏側面を示す。本発明のトレイ１の裏側面にも、特異的な凸部７及び凹部８が形成されている。図１に示されている表側面の凹部５及び凸部６と、図２に示されている凸部７及び凹部８とは、本発明のトレイ１を重ね合わせるときに互いに係合可能に構成されており、これらの凹凸形状も、本発明のトレイ１のトレイ識別機能部４を構成している。
【００１４】
図３は、本発明のトレイ１の正面図である。
【００１５】
図４は、本発明のトレイ１の表側面を拡大して示す斜視図である。トレイ１の表側面には、半導体集積回路を収容することができる複数のポケット２が形成されている。図４に示される実施例においては、トレイ１の表側面に、トレイ１の長手方向に延在する外周壁３ａにトレイ識別機能部４の凹部５及び凸部６が形成されている。詳しくは、トレイ１の表側面の周囲において、外周壁３ａの外面からトレイ内方へ陥没した凹部５が形成されているとともに、外周壁３ａからトレイの外方へ凸部６が延出している。一実施例においては、凸部６の上面６ａと外周壁３ａの上面３ｂとが面一に形成されている。他の実施例においては、トレイ１の短手方向に延在する外周壁３ａに、同様の凹部と凸部が形成されている場合もある。
【００１６】
図５は、本発明のトレイ１の裏側面の一部を拡大して示す斜視図である。図５に示される実施例においては、トレイ１の裏側面に、トレイ１の長手方向に延在する外周枠３にトレイ識別機能部４の凸部７及び凹部８が形成されている。詳しくは、トレイ１の裏側面において、外周枠３の内面からトレイ内方へ凸部７が延出しているとともに、外周枠３の下面３ｄから表側面へ向かって陥没するように凹部８が形成されている。一実施例においては、凸部７の下面７ａと外周枠３の下面３ｄとが面一に形成されている。他の実施例においては、トレイ１の短手方向に延在する外周枠３に、同様の凸部７及び凹部８が形成されている場合もある。
【００１７】
図４に示されている外周壁３ａは、１つのトレイ１上にもう１つのトレイを積み重ねるときに、当該もう１つのトレイ１の外周枠３の段部３ｅから垂直に下がっている外周枠３の内面が接触する部分である。また、外周枠３の段部３ｅは、１つのトレイ１上に同種のトレイ１が積み重なるときに、トレイの段部３ｅから垂直に下がっている枠（トレイ１の外周枠３）の底部（トレイ１の下面３ｄ）を支える支持面である。すなわち、同種のトレイは互いに係合することができる。
【００１８】
図６は、本発明のトレイ１と、イニシャル品であるフラット・トレイ（図８及び図９を参照）とのスタック（積み重ね）状態を示している。図６（ａ）において、本発明のトレイ１上にフラット・トレイ９を載せた状態（スタック状態Ｉ）においては、トレイ１の凸部６の上面６ａと、フラット・トレイ９における外周枠９ａの下面９ｃ（図９（ｂ）を参照）とが互いに干渉するため、トレイ１とフラット・トレイ９の間に隙間９ｆが生じて、これら２つのトレイが係合することはない。これにより、本発明のトレイ１と、フラット・トレイ９とを識別することができる。
【００１９】
図６（ｂ）において、フラット・トレイ９上に本発明のトレイ１を載せた状態（スタック状態ＩＩ）においては、フラット・トレイ９における段部９ｄの上面９ｅ（図９（ａ）を参照）と、本発明のトレイ１の外周枠３の凸部７とが互いに干渉するため、トレイ１とフラット・トレイ９の間に隙間９ｆが生じて、やはり２つのトレイが係合することはない。これにより、本発明のトレイ１と、フラット・トレイ９とを識別することができる。
【００２０】
図７に記載の表は、フラット・トレイ（イニシャル品）と、３種類の対策品トレイ（（特許文献１のトレイ（図１０）、従来品の既存トレイ（図１１）、及び本発明のトレイ１（図１））と、を重ね合わせることができるか否かを示す表である。トレイを重ね合わせることができないことを「ＯＫ」として示しており、重ね合わせることができることを「ＮＧ」として示している。
【００２１】
図６（ａ），（ｂ）及び図７の結果から、本発明のトレイ１は、表側面においても裏側面においても、イニシャル品であるフラット・トレイ９（図８及び図９を参照）と係合しない。よって、本発明のトレイ１とフラット・トレイ９とが混在したとしても、これらの別々のトレイを識別することが容易である。本発明のトレイ１は、表面側と裏面側の両方に凹部と凸部を有するように形成されているので、特許文献１のトレイや他の改良済みトレイとも識別することが容易である。
【００２２】
図１４に示されている実施例においては、同一のトレイ・シリーズ（製品ラインナップ）に含まれる３世代のトレイ１を示す。同じ世代のトレイ１どうしを重ね合わせることはできるが、互いに世代の異なるトレイ１どうしでは、トレイ識別機能部４の位置が互いに異なっているため、重ね合わせることができない。重なり合わないことから判断して、同一のトレイ・シリーズに含まれる２つのトレイ１であっても互いに異なる世代のトレイであることを識別することができる。
【００２３】
例えば、新規の半導体集積回路の寸法や形状に応じて新規のトレイを製造する際に、過去の一群のトレイのトレイ識別機能部４とは異なる位置に、新規の一群のトレイのトレイ識別機能部４を形成するとよい（図１４を参照）。これにより、同一の半導体集積回路用トレイ・シリーズに含まれる個々のトレイについて、過去の一群のトレイに属するトレイであるか、若しくは新規の一群のトレイに属するトレイであるかを識別することが可能となる。
【００２４】
代替的に又は追加的に、過去の一群のトレイを構成する各トレイのトレイ識別機能部の凹凸形状と係合し得ない形状となるように、新規の一群のトレイを構成する各トレイのトレイ識別機能部の凹凸形状を形成した場合にも、各トレイ１がいずれの一群のトレイに属するトレイであるかを識別することが可能となる。
【００２５】
以上のように、本発明のトレイ１は表側面と裏側面のいずれの面においても、フラット・トレイ（イニシャル品）や従来品の既存トレイと重なり合うことがない。従って、本発明のトレイ１と、従来品の既存トレイやフラット・トレイとが混在した場合にも、互いに型式の異なる複数のトレイを識別することができる。
【００２６】
さらには、一式の半導体集積回路用トレイ・シリーズに含まれる半導体集積回路用トレイを製造する際に、一群のトレイごとにトレイ識別機能部の位置をずらすこと等により、一群のトレイを構成する各トレイと、他の群のトレイを構成する各トレイとを識別することが可能となる。
【符号の説明】
【００２７】
１…半導体集積回路用トレイ
２…ポケット
３…外周枠
３ａ…外周壁
３ｂ…上面
３ｃ…外周壁
３ｄ…下面
３ｅ…段部
４…トレイ識別機能部
５…凹部
６…凸部
６ａ…上面
６ｂ…突出端面
７…凸部
７ａ…下面
８…凹部
９…フラット・トレイ（イニシャル品）
９ａ…外周枠
９ｃ…下面
９ｄ…段部
９ｅ…上面
９ｆ…隙間
２０…トレイ
２１…外周枠
２２…段部
２３…凸部
２４…外周枠
２５…下面
２６…凹部
３０…トレイ
３１…外周枠
３２…外周壁
３３…凹部
３４…段部
３５…外周枠
３６…凸部（透視の破線で示されている）
【図１】
2018148073.tif 000003
【図２】
2018148073.tif 000004
【図３】
2018148073.tif 000005
【図４】
2018148073.tif 000006
【図５】
2018148073.tif 000007
【図６】
2018148073.tif 000008
【図７】
2018148073.tif 000009
【図８】
2018148073.tif 000010
【図９】
2018148073.tif 000011
【図１０】
2018148073.tif 000012
【図１１】
2018148073.tif 000013
【図１２】
2018148073.tif 000014
【図１３】
2018148073.tif 000015
【図１４】
2018148073.tif 000016